(57)【要約】  【課題】  多様な操作に対応可能にするために複数の操作入力手段を近接させて配置した場合においても、操作性を損なうことなく、操作者が意図しない誤動作の発生を防止する。  【解決手段】  入力管理部２５は、第２入力制御部２４から第２入力装置２２の操作信号を受信した場合に、第１入力制御部２３からの操作信号によって第１入力装置２１が押下操作中であるかを判断し、押下操作中である場合は第２入力装置２２の操作信号を無効として破棄する。また、第１入力装置２１が解放されて一定時間経過するまでの間も、同様に第２入力装置２２の操作信号を無効とする。第２入力制御部２４は、第２入力装置２２からデバイスデータを受信した場合、第２入力装置２２の押圧開始から一定時間の間は入力管理部２５へ通知を行わないようにして第２入力装置２２からの入力を無効にすることで、感圧式操作入力デバイスによる第２入力装置２２の誤動作を防止する。【選択図】  図２
2005115801.tif 000002
【特許請求の範囲】
【請求項１】
第１操作入力手段と、感圧式操作入力デバイスにより構成される第２操作入力手段とを含む複数の操作入力手段を備え、前記第１操作入力手段と前記第２操作入力手段とが近接して配置される入力装置であって、
前記第１操作入力手段と前記第２操作入力手段の双方から操作信号を受信した場合に、前記第１操作入力手段の操作開始から操作終了までの期間において前記第２操作入力手段からの操作信号を無効とする入力競合管理手段を備える入力装置。
【請求項２】
請求項１に記載の入力装置であって、
前記入力競合管理手段は、前記第１操作入力手段の操作終了から所定時間経過するまでの期間において前記第２操作入力手段からの操作信号を無効とする入力装置。
【請求項３】
第１操作入力手段と、感圧式操作入力デバイスにより構成される第２操作入力手段とを含む複数の操作入力手段を備え、前記第１操作入力手段と前記第２操作入力手段とが近接して配置される入力装置であって、
前記第２操作入力手段の押圧を検知し、この押圧検知から所定時間経過するまでの期間において前記第２操作入力手段から出力される操作情報を無効とする操作出力制御手段を備える入力装置。
【請求項４】
第１操作入力手段と、感圧式操作入力デバイスにより構成される第２操作入力手段とを含む複数の操作入力手段を備え、前記第１操作入力手段と前記第２操作入力手段とが近接して配置される入力装置であって、
前記第２操作入力手段から操作情報を受信したときに、前回受信した操作情報を参照して前回の押圧点からの変位量を取得し、前記変位量が所定量を超えた場合に上記受信した操作情報を無効とする操作出力制御手段を備える入力装置。
【請求項５】
請求項１〜４の少なくともいずれか一項に記載の入力装置を備えた電子機器。
【発明の詳細な説明】
【技術分野】
【０００１】
本発明は、携帯型電子機器等に用いられる入力装置に関する。
【背景技術】
【０００２】
近年、携帯型電子機器などの電子機器の機能の多様化に伴い、複雑な操作に対応した入力装置が必要とされている。例えば、携帯電話装置では、表示部に表示されている表示メニュー等の項目の選択操作、表示内容のスクロール操作などのために、方向操作キーが設けられている。このような操作のための方向操作キーとしては、上下左右の４方向に対応してキースイッチを配置してこれらを押下操作する４方向操作キーが一般的であり、その他に回転操作するローラ状のもの、あるいは傾斜操作するスティック状のもの等、種々の形式の操作入力手段が知られている。
【０００３】
上記４方向操作キーなどは、例えばゲームなどのコンテンツに対応した複雑な操作やスピード感を必要とする操作には不向きであり、また、スクロール操作などのカーソルや表示内容を大きく移動させる操作を行う場合に、所望の方向のキーを押し続ける必要がある。また、多様な操作については、他のキーを併用したり、あるいは代用することによって実現している。したがって、表示部の表示内容において操作結果の動きに対するイメージと操作方向とが連動しなかったり、また、指を大きく移動させて必要な操作を行うなど、操作性が良くない場合があった。このように従来の入力装置では、多様な操作や、スピード感を必要とする操作等を行う場合に、煩雑な操作を要するため、コンテンツによって使いにくいものであったり、入力装置に適応する搭載可能なコンテンツに制限が生じることがあった。
【０００４】
例えば、特開平８−３１４６００号公報（特許文献１）には、複数回の二重押しを検出して処理することによって、キー入力装置の処理内容が増加した場合においても、キー入力操作部の二重押しの種類を増やさなくても二重押しを続けて行うことにより増加した処理内容の実行を可能にし、また偶発的に続けて入力される二重押しの誤動作を防止することができるキー入力装置が開示されている。このようなキー入力操作部の二重押しを行うものでは、複数の指で操作する必要があり、操作が難しかったり、素早い操作が困難なことがある。また、コンテンツに要求される多様な操作に対応が困難な場合がある。
【０００５】
多様な操作に対応可能な入力装置の構成として、例えば、複数の操作入力手段を配置した複合型の入力装置が考えられる。携帯型電子機器などでは、このような複合型の入力装置を搭載する場合に、１つの指で容易に操作可能なように小さな範囲に近接させて複数の操作入力手段を配置することによって、小型化及び軽量化を図るとともに、良好な操作性を確保しつつ複雑な操作に対応できるようにすることが可能である。しかし、小さい領域に複数の操作入力手段を近接させて配置した場合、操作者が意図せずに他の操作入力手段を操作してしまい、操作入力が競合して誤動作が発生するおそれがある。特に、操作に対する反応感度が異なるものなど、異なる種類の複数の操作入力手段を近接させて配置した場合は、意図しない操作入力の競合を未然に防ぐ必要がある。
【０００６】
【特許文献１】特開平８−３１４６００号公報
【発明の開示】
【発明が解決しようとする課題】
【０００７】
本発明は、上記事情に鑑みてなされたもので、多様な操作に対応可能にするために複数の操作入力手段を近接させて配置した場合においても、操作性を損なうことなく、操作者が意図しない誤動作の発生を防止することが可能な入力装置を提供することを目的とする。
【課題を解決するための手段】
【０００８】
本発明の入力装置は、第１操作入力手段と、感圧式操作入力デバイスにより構成される第２操作入力手段とを含む複数の操作入力手段を備え、前記第１操作入力手段と前記第２操作入力手段とが近接して配置される入力装置であって、前記第１操作入力手段と前記第２操作入力手段の双方から操作信号を受信した場合に、前記第１操作入力手段の操作開始から操作終了までの期間において前記第２操作入力手段からの操作信号を無効とする入力競合管理手段を備えるものである。
【０００９】
上記構成により、多様な操作に対応可能にするために複数の操作入力手段を近接させて配置した場合においても、複数の操作入力手段からの操作信号の競合を防止できる。このため、操作性を損なうことなく、操作者が快適に操作可能な性能を維持した状態で、操作者が意図しない誤動作の発生を防止することが可能となる。したがって、操作性に優れた複数の操作入力手段を備えた入力装置を実現できる。
【００１０】
また、本発明の一態様として、上記の入力装置であって、前記入力競合管理手段は、前記第１操作入力手段の操作終了から所定時間経過するまでの期間において前記第２操作入力手段からの操作信号を無効とするものも含まれる。
【００１１】
上記構成により、第１操作入力手段の操作終了後も所定時間の間第２操作入力手段からの操作信号を無効とすることで、より確実に複数の操作入力手段からの操作信号の競合を防ぎ、誤動作の発生を防止できる。
【００１２】
また、本発明の入力装置は、第１操作入力手段と、感圧式操作入力デバイスにより構成される第２操作入力手段とを含む複数の操作入力手段を備え、前記第１操作入力手段と前記第２操作入力手段とが近接して配置される入力装置であって、前記第２操作入力手段の押圧を検知し、この押圧検知から所定時間経過するまでの期間において前記第２操作入力手段から出力される操作情報を無効とする操作出力制御手段を備えるものである。
【００１３】
上記構成により、第２操作入力手段の初動時の反応を鈍くすることができ、例えば操作者が意図せず感圧式操作入力デバイスによる第２操作入力手段に触れた場合などに、誤動作を防止できる。
【００１４】
また、本発明の入力装置は、第１操作入力手段と、感圧式操作入力デバイスにより構成される第２操作入力手段とを含む複数の操作入力手段を備え、前記第１操作入力手段と前記第２操作入力手段とが近接して配置される入力装置であって、前記第２操作入力手段から操作情報を受信したときに、前回受信した操作情報を参照して前回の押圧点からの変位量を取得し、前記変位量が所定量を超えた場合に上記受信した操作情報を無効とする操作出力制御手段を備えるものである。
【００１５】
上記構成により、第２操作入力手段において複数箇所が押圧された場合の誤動作を防止でき、例えば操作者が１つの指で複数箇所を触れてしまった場合などに、意図しない動作が実行されることを防止できる。
【００１６】
また、本発明は、上記の少なくともいずれか一つに記載の入力装置を備えた電子機器を提供する。この構成により、複数の操作入力手段を近接させて配置した入力装置を搭載した場合に、操作者が意図しない誤動作の発生を防止でき、操作性を良好に保持しつつ、多様な入力操作を行うことが可能となる。
【発明の効果】
【００１７】
本発明によれば、多様な操作に対応可能にするために複数の操作入力手段を近接させて配置した場合においても、操作性を損なうことなく、操作者が意図しない誤動作の発生を防止することが可能な入力装置を提供できる。
【発明を実施するための最良の形態】
【００１８】
以下の実施形態では、電子機器の一種である携帯電話装置を例にして、入力装置の構成例を説明する。
【００１９】
図１は本発明の実施形態を説明するための携帯電話装置の概略構成を示す平面図である。本実施形態の携帯電話装置は、本体１に、情報を表示する表示手段の一例に相当する表示部２と、複数の操作入力手段を隣接させて搭載した複合型の入力装置を構成する第１操作キー３、第２操作キー４、及び第３操作キー５と、電話番号や文字等の入力を行うテンキー６とを配設して構成される。
【００２０】
表示部２は、液晶表示装置（ＬＣＤ）等から構成され、制御部の指示に基づいて、サービスの内容（コンテンツ）を示すメニューや、各メニュー項目に関連する複数のメニュー項目からなるサブメニューといった、記憶されている情報や受信した情報等を表示するものである。
【００２１】
複合型の入力装置において、第１操作キー３は、第１操作入力手段として機能する第１入力装置に相当するもので、上下左右の４方向の操作を可能とする円環状の押しボタン式操作入力デバイスである方向操作キーにより構成される。この方向操作キーは、上下左右の各方向に対応する方向キー部１１、１２、１３、１４の下部にそれぞれ押下操作によりオンするスイッチが配設され、操作者が各方向キー部１１〜１４を押下することによってスイッチがオンし、それぞれ対応する方向の方向指示等に関する操作信号を出力する。
【００２２】
また、第２操作キー４は、第２操作入力手段として機能する第２入力装置に相当するもので、第１操作キー３の内周側に設けられた円環状の感圧式操作入力デバイスにより構成される。この第２操作キー４は、内部に圧力を検知する手段を有し、操作者が「押しなぞり操作」することによって押圧した操作位置と操作方向とを検出して操作信号を出力する。
【００２３】
また、第３操作キー５は、第１操作キー３と同様に第１操作入力手段として機能する第１入力装置に相当するもので、第２操作キー４の内周側に設けられた円形状の押しボタン式操作入力デバイスにより構成される。この第３操作キー５は、押下操作することによってスイッチがオンし、選択したメニュー項目の確定等に関する操作信号を出力する。上記の第１操作キー３、第２操作キー４、第３操作キー５は、例えば親指等の片手の１つの指で容易に操作が可能なように、特定広さの小さい領域内に隣接して設けられ、第３操作キー５、第２操作キー４、第１操作キー３が内側から外側に向かって順に同心円環状に配置されている。
【００２４】
図２は本実施形態に係る携帯電話装置における入力装置周辺の機能構成を示すブロック図である。第１操作キー３及び第３操作キー５に対応する第１入力装置２１と、第２操作キー４に対応する第２入力装置２２とが制御部２０に接続され、これらの第１入力装置２１及び第２入力装置２２の操作に基づく操作信号が入力されるようになっている。制御部２０は、第１入力装置２１を制御する第１入力制御部２３と、第２入力装置２２を制御する第２入力制御部２４と、これらの第１入力制御部２３及び第２入力制御部２４からの操作信号の入力を管理して上位へ通知する入力管理部２５と、表示部２における表示内容等の制御を行う表示制御部２６と、装置全体の制御を行うシステム制御部２７とを有して構成される。
【００２５】
第２入力制御部２４は、第２入力装置２２から入力管理部２５への操作信号の出力を制御して誤動作を防止する操作出力制御部（操作出力制御手段）２８を有している。入力管理部２５は、第１入力制御部２３からの操作信号の入力と第２入力制御部２４からの操作信号の入力との競合を管理して誤動作を防止する入力競合管理部（入力競合管理手段）２９を有している。表示制御部２６は、第１入力制御部２３または第２入力制御部２４からの操作信号に基づいて、表示部２に表示する表示内容を変化させる。例えば、メニュー等の表示項目を選択するカーソルを移動させたり、表示コンテンツをスクロールさせる表示制御を行う。
【００２６】
図３は第１入力装置２１と第２入力装置２２とをそれぞれ操作した場合の各入力装置からの操作信号を示したタイミングチャートである。図３では、第１入力装置２１と第２入力装置２２とが同時に操作された場合における、第１入力装置２１の押下状態と操作信号、及び第２入力装置２２の押圧状態と操作信号の関係が示されている。
【００２７】
第１入力装置２１が押下されると、押下（操作開始）と解放（操作終了）のそれぞれのイベントを示す操作信号が出力される。第２入力装置２２が押圧されると、押圧と解放のそれぞれのイベントを示す操作信号が出力されるとともに、押圧されている期間は所定時間毎に押圧位置を示す操作情報としてのデバイスデータが出力される。このデバイスデータに基づき、操作位置、操作方向、操作速度などを検出して出力することができる。
【００２８】
本実施形態では、操作者が押しボタン式操作入力デバイスによる第１入力装置２１を押下操作しようとして意図せずに感圧式操作入力デバイスによる第２入力装置２２に触れた場合など、図３のように第１入力装置２１と第２入力装置２２とが同時に操作された場合、第２入力装置２２からの操作信号を破棄することにより、誤動作を防止する。すなわち、第１入力装置２１が押下されているＴ２の期間は、入力管理部２５の入力競合管理部２９によって、第２入力装置２２からデバイスデータが出力されてもこれを無効とし、第２入力装置２２からの操作信号を出力しないようにする。また、入力競合時のマージンをとるために、第１入力装置２１が解放された直後の一定時間経過するまでのＴ３の期間は、同様に第２入力装置２２からのデバイスデータを無効とし、第２入力装置２２からの操作信号を出力しないようにする。これにより、操作者が第２入力装置２２に触れたままで第１入力装置２１を押下した場合など、複数の入力装置が同時に操作された場合の操作入力の競合を無くし、意図しない動作が実行されるなどの誤動作を防止することができる。
【００２９】
また、感圧式操作入力デバイスによる第２入力装置２２は、操作者が意図せずに触れてしまうことが多いため、第２入力装置２２が押圧された直後の一定時間経過するまでのＴ１の期間を押圧判定時間とし、操作者の意図によって押圧されたかどうかを判定する。この押圧判定時間の間は、第２入力制御部２４の操作出力制御部２８によって、第２入力装置２２からのデバイスデータを無効とし、第２入力装置２２から操作信号が出力されないようにする。これにより、操作者が第１入力装置２１を押下操作しようとして、この押下操作の直前に意図せずに少し第２入力装置２２に触れた場合など、第２入力装置２２の自体の初期動作時の誤動作を防止できる。
【００３０】
以下に、本実施形態における複数の入力装置による入力操作時の動作制御について詳しく説明する。
【００３１】
図４は第１の実施形態の入力操作動作制御に関する動作シーケンスを示す図である。第１の実施形態は、誤動作防止の制御として、第１入力装置２１と第２入力装置２２とが同時に操作された場合に第２入力装置２２からの操作信号を無効にするものである。操作者が第１入力装置２１を押下しようとした場合、図１に示すように、親指等の１つの指の操作範囲内に複数の入力装置が存在するため、感圧式操作入力デバイスによる第２入力装置２２にも触れてしまい、操作者の予想とは異なる操作結果となるなどの誤動作の原因となる。第１の実施形態ではこのような誤動作の発生を防止する。
【００３２】
第２入力装置２２が押圧されると、押圧開始時と解放時にそれぞれのイベントを示す押圧信号５１と解放信号５２が第２入力装置２２から第２入力制御部２４へ入力され、第２入力装置２２の押圧及び解放が通知される。また、第２入力装置２２が押圧されて解放されるまでの間は、操作者が触れた位置に連動して所定時間毎に周期的に押圧位置を示すデバイスデータ５３が出力され、第２入力制御部２４に入力される。第２入力制御部２４は、受信したデバイスデータ５３に基づき、一定変位量の操作がなされた場合に、入力管理部２５に対して第２入力装置２２からの入力を示す操作信号として第２入力イベント信号５４を出力して通知する。入力管理部２５は、第２入力制御部２４からの操作信号を受けて、表示制御部２６やシステム制御部２７などの上位の制御部へ操作信号６０を通知する。
【００３３】
第１入力装置２１が押下されると、押下開始時と解放時にそれぞれのイベントを示す押下信号５５と解放信号５６が第１入力装置２１から第１入力制御部２３へ入力され、第１入力装置２１の押下及び解放が通知される。そして、第１入力制御部２３から入力管理部２５へ第１入力装置２１の押下、解放をそれぞれ示す操作信号として第１入力オン信号５７、第１入力オフ信号５８が出力される。入力管理部２５は、第１入力制御部２３からの操作信号を受けて、表示制御部２６やシステム制御部２７などの上位の制御部へ操作信号６１、６２を通知する。
【００３４】
ここで、入力管理部２５は、第２入力制御部２４からの第２入力イベント信号５４を受信した場合に、第１入力制御部２３からの操作信号によって第１入力装置２１が押下操作中であるかを判断し、押下操作中である場合は図中一点鎖線で示す第２入力イベント信号５４ａを破棄し、図中黒丸６３で示すように上位の制御部への通知を行わないようにする。これにより、第１入力装置２１の押下から解放までの期間、第２入力装置２２からの入力を無効にする。また、第１入力装置２１の解放後から一定時間の間についても同様に、第２入力イベント信号５４ｂを破棄し、図中黒丸６４で示すように上位の制御部への通知を行わないようにして、第２入力装置２２からの入力を無効にする。
【００３５】
図５は第１の実施形態における入力操作動作制御の手順を示すフローチャートである。ここでは、入力管理部２５の入力競合管理部２９における処理を中心に説明する。入力管理部２５は、第２入力制御部２４からの第２入力イベント信号５４によって第２入力装置２２からの入力を受信すると（ステップＳ１１）、第１入力制御部２３からの操作信号の受信状態によって第１入力装置２１が押下操作中であるか否かを判断する（ステップ１２）。ここで、第１入力装置２１が押下操作中である場合は、第２入力装置２２からの入力を無効とし、上位の制御部に対して通知を行わないようにする（ステップＳ１３）。
【００３６】
ステップＳ１２において第１入力装置２１が押下操作中でない場合は、第１入力装置２１の解放後から一定時間内であるか否かを判断する（ステップＳ１４）。ここで、入力管理部２５は、第１入力制御部２３から第１入力オフ信号５８を受信すると、タイマ等によって第１入力オフ信号５８の受信時点から計時を行い、一定時間が経過したかを判定する。ステップＳ１４において、第１入力装置２１の解放後から一定時間内である場合は、上記と同様にステップＳ１３において、第２入力装置２２からの入力を無効とし、上位の制御部に対して通知を行わないようにする。一方、ステップＳ１４において第１入力装置２１の解放後から一定時間以上経過している場合は、第２入力装置２２からの入力を有効とし、上位の制御部に対して操作信号を出力して通知を行う（ステップＳ１５）。
【００３７】
上記のように入力管理部２５において処理を行うことによって、第１入力装置２１の押下から解放までの期間、及び第１入力装置２１の解放後一定時間の間において、第２入力装置２２の操作がなされた場合に２つの入力装置の競合による誤動作を防止することができる。
【００３８】
図６は第２の実施形態の入力操作動作制御に関する動作シーケンスを示す図である。第２の実施形態は、誤動作防止の制御として、第２入力装置２２の押圧が検知されてから一定時間内は第２入力装置２２からの操作信号を無効にするものである。操作者が意図せずに感圧式操作入力デバイスによる第２入力装置２２に触れた場合において、第２入力装置２２が即反応してしまえば、操作者の意図に反して操作信号が入力されるなどの誤動作の原因となる。第２の実施形態ではこのような誤動作の発生を防止する。
【００３９】
第２の実施形態では、第２入力制御部２４は、第２入力装置２２が押圧されてデバイスデータ５３を受信した場合、第２入力装置２２の押圧開始から一定時間の間は、図中黒丸６５で示すように入力管理部２５に対して第２入力イベント信号５４を停止し、図中二点鎖線で示す第２入力イベント信号５４ｃを出力しないようにする。このように第２入力装置２２が押圧操作されてから一定時間経過するまでは、操作者が意図した操作であるかを判定するための押圧判定時間とし、この期間は入力管理部２５へ通知を行わないようにして第２入力装置２２からの入力を無効にする。
【００４０】
図７は第２の実施形態における入力操作動作制御の手順を示すフローチャートである。ここでは、第２入力制御部２４の操作出力制御部２８における処理を中心に説明する。第２入力制御部２４は、第２入力装置２２からの押圧信号５１を受信して第２入力装置２２が押圧されたことを検知すると（ステップＳ２１）、押圧判定時間を超えたか否かを判断し、押圧検知してから押圧判定時間が経過するまで待機する（ステップＳ２２）。ここで、第２入力制御部２４は、第２入力装置２２からの押圧信号５１を受信すると、タイマ等によって押圧信号５１の受信時点から計時を行い、押圧判定時間として設定した一定時間が経過したかを判定する。
【００４１】
ステップＳ２２において押圧判定時間が経過し、第２入力装置２２が一定時間押圧され続けた場合に限り、操作者による意図した操作であると見なして第２入力装置２２の押圧操作を検出し（ステップＳ２３）、第２入力装置２２からデバイスデータ５３を受信する（ステップＳ２４）。そして、受信したデバイスデータ５３によって、デバイスデータ５３の受信後に予め設定した初期不感時間または初期変位量を超えたか否かを判断する（ステップＳ２５）。ここで、初期不感時間または初期変位量を超えていない場合は、ステップＳ２４に戻り、超えるまで次のデバイスデータ５３を受信する。ステップＳ２５において初期不感時間または初期変位量を超えたことが確認された場合に限り、そのデバイスデータ５３を有効なデータとして取り扱う（ステップＳ２６）。
【００４２】
その後、第２入力装置２２が押圧されている間、すなわち第２入力装置２２から解放信号５２を受信するまで、次のデバイスデータ５３を受信する。そして、受信した今回のデバイスデータと前回のデバイスデータとを比較し、所定の変位量の操作がなされた場合は、入力管理部２５に対して第２入力イベント信号５４を出力し、第２入力装置２２からの操作入力を通知する。
【００４３】
上記のように第２入力制御部２４において処理を行うことによって、感圧式操作入力デバイスによる第２入力装置２２の初動時の反応を鈍くすることができ、第２入力装置２２が押圧されてから一定時間経過するまで、第２入力装置２２の意図しない操作による誤動作を防止することができる。したがって、図６のように操作者が第１入力装置２１を押下する直前に第２入力装置２２に触れて第２入力装置２２が押圧された場合であっても、第２入力装置２２による誤動作を防止できる。
【００４４】
図８は上述した第１の実施形態（図４）と第２の実施形態（図６）の入力操作動作制御を組み合わせた場合の動作シーケンスを示す図である。この場合、第１入力装置２１の押下から解放までの期間、第１入力装置２１の解放後一定時間の間、及び第２入力装置２２が押圧されてから一定時間経過するまでの間において、第１入力装置２１と第２入力装置２２の入力操作の競合や第２入力装置２２の意図しない押圧があった場合に、上位の制御部への操作信号の通知を行わないようにする。これにより、入力管理部２５から上位の制御部への通知に複数の入力装置からの操作信号の通知が混在してしまうことが防止され、誤動作の要因を解消できる。
【００４５】
このように誤動作防止のための入力操作動作制御を組み合わせて実行することによって、複数の入力装置を小さい領域内に近接させて設けた場合においても、複数の入力装置からの操作信号の競合や、押しボタン式と感圧式の操作入力デバイスの反応感度の違い等による誤動作の発生を抑止し、操作者の操作に連動した操作感を得ることができる。
【００４６】
図９は比較例における動作シーケンスを示す図である。この比較例は、上述した本実施形態の誤動作防止の制御を実行しない場合である。
【００４７】
操作者が意図せず第２入力装置２２に触れた状態で、第１入力装置２１を押下しようとした場合、まず第２入力装置２２に触れた時点で、第２入力装置２２から第２入力制御部２４に対して押圧信号５１の通知が行われる。その後、第２入力装置２２が解放されるまでの間、操作者が触れた位置に連動して周期的にデバイスデータ５３が第２入力制御部２４へ通知され、一定変位量の操作があった場合にその都度第２入力制御部２４から入力管理部２５に対して第２入力イベント信号５４が通知される。また、第１入力装置２１の押下、解放が発生した場合は、第１入力制御部２３を介して入力管理部２５に対しそれぞれ第１入力オン信号５７、第１入力オフ信号５８が通知される。
【００４８】
この比較例の場合、第２入力制御部２４における出力制御も無く、また、入力管理部２５からは、第１入力制御部２３及び第２入力制御部２４からの操作信号の通知がそのまま上位の制御部へ通知される。したがって、入力管理部２５から上位の制御部への通知には複数の入力装置からの操作信号の通知が混在してしまうため、誤動作が発生してしまい、操作者の操作に連動した操作感が得られなくなる。
【００４９】
これに対し、本実施形態によれば、複数の入力装置からの操作信号の混在、及び感圧式操作入力デバイスによる第２入力装置からの意図しない操作信号の出力を無くし、誤動作の発生を防止することができる。
【００５０】
図１０及び図１１は第３の実施形態の入力操作動作制御を説明する図であり、図１０は複合型入力装置の第２入力装置において離れた２点を押圧した場合を示す平面図、図１１は第３の実施形態における入力操作動作制御の手順を示すフローチャートである。
【００５１】
第２入力装置２２として用いられる第２操作キー４は、円環状の感圧式操作入力デバイスにより構成され、一般的に操作者が押しなぞり操作した方向や変位量に連動して、表示画面中のカーソルやポインタ、あるいはコンテンツ等を移動させる操作入力機能を有する。図１にも示したように、本実施形態の入力装置は、第１操作キー３、第２操作キー４、第３操作キー５が同心円環状に配置された複合型の入力装置となっている。
【００５２】
上記のように複数種類の入力装置を近接させて設けた場合、第１操作キー３や第３操作キー５などの第２操作キー４以外の入力装置を操作者が操作しようとした場合、あるいは第２操作キー４に意図せず触れてしまった場合に、図１０に示すように、第２操作キー４上の離れた２点Ａ，Ｂを押圧してしまう状態が発生することがある。このような場合、検出された押圧点とその次の押圧点とが離散した位置となり、誤動作を発生させる要因となる。
【００５３】
そこで、第３の実施形態では、誤動作防止の制御として、感圧式操作入力デバイスによる第２入力装置２２において押圧点の変位量が一定量以上であればそのデバイスデータを無効とする。これにより、離れた２点が押圧された場合の誤動作の発生を防止する。
【００５４】
図１１のフローチャートでは、第２入力制御部２４の操作出力制御部２８における処理を中心に説明する。第２入力制御部２４は、第２入力装置２２からデバイスデータを受信すると（ステップＳ３１）、受信した今回のデバイスデータと前回のデバイスデータとを比較し、前回受信したデバイスデータからの変位量が一定量を超えたかどうか、すなわち今回検出された押圧点が前回検出された押圧点より一定量以上離れているかどうかを判断する（ステップＳ３２）。ここで、変位量が一定量以下の場合は、次の処理に進み、所定の変位量の操作がなされるまで所定間隔でデバイスデータを受信し、所定の変位量の操作がなされた場合は、入力管理部２５に対して第２入力イベント信号を出力し、第２入力装置２２からの操作入力を通知する。
【００５５】
一方、ステップＳ３２において前回受信したデバイスデータから一定変位量を超えた場合は、受信済みのデバイスデータを無効とし、破棄する（ステップＳ３３）。これにより、操作者が意図せずに感圧式操作入力デバイス上の離れた２点を押圧した場合などにおいて、操作者の操作と連動しない動作が発生する不具合を無くし、誤動作を防止できる。
【００５６】
上述したように、本実施形態によれば、多様な操作に対応可能にするために第１入力装置２１と第２入力装置２２を含む複数の操作入力手段を近接させて配置した場合においても、複数の操作入力手段からの操作信号の競合を防止できる。このため、操作性を損なうことなく、操作者が快適に操作可能な性能を維持した状態で、操作者が意図しない誤動作の発生を防止することが可能となる。したがって、操作性に優れ、かつ多様な操作に対応可能な入力装置を実現できる。また、このような入力装置を携帯電話装置等の電子機器に搭載することで、スピード感を必要とする操作が要求されるコンテンツや多種類のコンテンツなどに対応して、多様な入力操作が可能となり、かつ、操作性を良好に保持しつつ、誤動作の発生を防止できる。
【００５７】
なお、上記実施形態において、第２入力装置２２からの操作信号を無効にする第１入力装置２１の解放後からの一定時間、第２入力装置２２からのデバイスデータを無効にする第２入力装置２２の押圧開始から一定時間（押圧判定時間）、第２入力装置２２において離れた２点間の押圧であると判断する一定変位量、第２入力装置２２において一定変位量の操作がなされたと判断し入力イベント信号を出力する一定変位量など、判定の基準となる各値は、入力装置の構成や仕様、操作者の好みや動作させるコンテンツの仕様などに応じて適宜設定可能である。これらの値は、例えば、操作者による設定操作やコンテンツ情報の入力などによって、動的に変更可能なようにすることもできる。
【００５８】
また、入力管理部２５や第２入力制御部２４における誤動作防止制御は、他の部分で実行するようにしてもよいし、この誤動作防止制御における各処理は本発明を逸脱しない範囲で各種変形して適用することも可能である。
【００５９】
また、本発明の入力装置は、上記実施形態で説明した携帯電話装置に限らず、種々の電子機器に搭載して適用することができる。
【産業上の利用可能性】
【００６０】
本発明は、多様な操作に対応可能にするために複数の操作入力手段を近接させて配置した場合においても、操作性を損なうことなく、操作者が意図しない誤動作の発生を防止することが可能となる効果を有し、携帯型電子機器等に用いられる入力装置等に有用である。
【図面の簡単な説明】
【００６１】
【図１】本発明の実施形態を説明するための携帯電話装置の概略構成を示す平面図
【図２】本実施形態に係る携帯電話装置における入力装置周辺の機能構成を示すブロック図
【図３】第１入力装置と第２入力装置とをそれぞれ操作した場合の各入力装置からの操作信号を示したタイミングチャート
【図４】第１の実施形態の入力操作動作制御に関する動作シーケンスを示す図
【図５】第１の実施形態における入力操作動作制御の手順を示すフローチャート
【図６】第２の実施形態の入力操作動作制御に関する動作シーケンスを示す図
【図７】第２の実施形態における入力操作動作制御の手順を示すフローチャート
【図８】第１の実施形態（図４）と第２の実施形態（図６）の入力操作動作制御を組み合わせた場合の動作シーケンスを示す図
【図９】比較例における動作シーケンスを示す図
【図１０】複合型入力装置の第２入力装置において離れた２点を押圧した場合を示す平面図
【図１１】第３の実施形態における入力操作動作制御の手順を示すフローチャート
【符号の説明】
【００６２】
２  表示部
３  第１操作キー
４  第２操作キー
５  第３操作キー
２１  第１入力装置
２２  第２入力装置
２３  第１入力制御部
２４  第２入力制御部
２５  入力管理部
２６  表示制御部
２７  システム制御部
【図１】
2005115801.tif 000003
【図２】
2005115801.tif 000004
【図３】
2005115801.tif 000005
【図４】
2005115801.tif 000006
【図５】
2005115801.tif 000007
【図６】
2005115801.tif 000008
【図７】
2005115801.tif 000009
【図８】
2005115801.tif 000010
【図９】
2005115801.tif 000011
【図１０】
2005115801.tif 000012
【図１１】
2005115801.tif 000013